(57)【要約】【課題】引起装置の駆動軸の出力軸の着脱以外の着脱操作が面倒であった。【解決手段】分草体７と引起装置８と刈刃１１を取付ける刈取フレーム２０は、下部横伝動ケース２１の左右両側から各々上方に延出した側部伝動ケースと側部フレームとの上端部間に上部横伝動ケース２４を設けて構成し、該上部横伝動ケース２４には複数の引起装置８に駆動力を伝達する引起伝動筒２５の上部を夫々取付け、前記左右に複数並設した引起装置８のうち、非引起作用側を対向させた二つの引起装置８は、前記引起伝動筒２５の下部に設けた左右方向の上部横伝動筒３５の左右両側端部より駆動する構成とし、該上部横伝動筒３５と左右一対の縦枠３６と下部横枠３７とにより矩形の引起支持枠体３４を形成し、前記引起装置８の支持部材である引起フレーム２６を、当該引起支持枠体３４に取付けたことを特徴とするコンバイン。【選択図】図６
2012170437.tif 000002
【特許請求の範囲】
【請求項１】
走行装置（２）の上方に脱穀装置（３）を設け、該脱穀装置（３）の横側にグレンタンク（５）を設け、該グレンタンク（５）の前側に操縦部（６）を設け、該操縦部（６）の前方に刈取装置（４）を設け、該刈取装置（４）には、複数の分草体（７）および引起装置（８）を設け、該分草体（７）および引起装置（８）の後側には刈刃（１１）を設け、前記分草体（７）と引起装置（８）と刈刃（１１）を取付ける刈取フレーム（２０）は、下部横伝動ケース（２１）の左右両側から各々上方に延出した側部伝動ケースと側部フレームとの上端部間に上部横伝動ケース（２４）を設けて構成し、該上部横伝動ケース（２４）には複数の引起装置（８）に駆動力を伝達する引起伝動筒（２５）の上部を夫々取付け、前記左右に複数並設した引起装置（８）のうち、非引起作用側を対向させた二つの引起装置（８）は、前記引起伝動筒（２５）の下部に設けた左右方向の上部横伝動筒（３５）の左右両側端部より駆動する構成とし、該上部横伝動筒（３５）と左右一対の縦枠（３６）と下部横枠（３７）とにより矩形の引起支持枠体（３４）を形成し、前記引起装置（８）の支持部材である引起フレーム（２６）を、当該引起支持枠体（３４）に取付けたことを特徴とするコンバイン。
【請求項２】
請求項１において、前記非引起作用側を対向させた二つの引起装置（８）の引起フレーム（２６）を、連結杆（４１）により一体状に連結して前記引起支持枠体（３４）に着脱自在に取付ける構成としたことを特徴とするコンバイン。
【請求項３】
請求項１または請求項２において、前記引起装置（８）の引起フレーム（２６）には、引起ラグ（３０）の下降側の背面を開放する開放部（４４）を形成し、前記縦枠（３６）を開放部（４４）から左右に偏倚した位置に配置したことを特徴とするコンバイン。
【請求項４】
請求項１または請求項２または請求項３において、前記縦枠（３６）は、装着状態における引起装置（８）の引起フレーム（２６）と、側面視において前後に所定間隔をおいて配置したことを特徴とするコンバイン。
【請求項５】
請求項１または請求項２または請求項３または請求項４において、前記引起装置（８）は、引起フレーム（２６）に設けた駆動輪（２７）と下部従動輪（２８）と案内輪（２９）とに引起ラグ（３０）を所定間隔おいて複数起伏自在に取付けた引起チェン（３１）を掛け回し、前記駆動輪（２７）の駆動軸（３２）は前記横伝動筒（３５）の左右両側端部に各々設けた出力軸（３３）に軸方向に着脱自在にスプライン嵌合する構成とし、前記引起支持枠体（３４）の上部と引起フレーム（２６）の上部との間に上側着脱具（６５）を設け、前記引起支持枠体（３４）の下部と引起フレーム（２６）の下部との間に下側着脱具（４７）を設け、該下側着脱具（４７）によって前記下部横枠（３７）に引起フレーム（２６）を装着した状態において、当該引起フレーム（２６）は、下部横枠（３７）を中心とする前後方向の回動のみを許容する状態で下部横枠（３７）に支持されることを特徴とするコンバイン。
【請求項６】
請求項５において、前記下側着脱具（４７）は、前記引起フレーム（２６）における開放部（４４）とは反対の側に偏倚した下部横枠（３７）の部位に係止する構成としたことを特徴とするコンバイン。
【請求項７】
請求項１または請求項２または請求項３または請求項４または請求項５または請求項６において、前記引起装置（８）は、引起フレーム（２６）に設けた駆動輪（２７）と下部従動輪（２８）と案内輪（２９）とに引起ラグ（３０）を所定間隔おいて複数起伏自在に取付けた引起チェン（３１）を掛け回し、前記駆動輪（２７）の駆動軸（３２）は前記横伝動筒（３５）の左右両側端部に各々設けた出力軸（３３）に軸方向に着脱自在にスプライン嵌合する構成とし、前記引起支持枠体（３４）の上部と引起フレーム（２６）の上部との間に上側着脱具（６５）を設け、前記引起支持枠体（３４）の下部と引起フレーム（２６）の下部との間に下側着脱具（４７）を設け、前記分草体（７）を取付けた分草杆（３９）には、該分草杆（３９）から前記引起フレーム（２６）の上端部背面側に亘る第一分草ガイド棒（６１）を設け、第一分草ガイド棒（６１）の下部は分草杆（３９）側に回動自在に取付け、第一分草ガイド棒（６１）の上部は前記引起支持枠体（３４）の上部に取付け、第一分草ガイド棒（６１）の上部を前方に回動させることで、該第一分草ガイド棒（６１）を外すことなく非引起作用側を対向させた二つの引起装置（８）を引起支持枠体（３４）に対して着脱しうる構成としたことを特徴とするコンバイン。
【請求項８】
請求項７において、前記第一分草ガイド棒（６１）を、前記引起支持枠体（３４）の左右中央部に設けたことを特徴とするコンバイン。
【発明の詳細な説明】
【技術分野】
【０００１】
本発明は、コンバインに係るものである。
【背景技術】
【０００２】
従来、刈取装置の引起装置の駆動軸を出力軸にスプライン嵌合させて、着脱自在にした構成は、公知である（例えば、特許文献１参照）。
。
【先行技術文献】
【特許文献】
【０００３】
【特許文献１】特開２００７−７５０３１号公報
【発明の概要】
【発明が解決しようとする課題】
【０００４】
前記公知のものは、引起装置の駆動軸部分の着脱に関するものであり、他の部分の引起装置の着脱は面倒あり、メンテナンスが容易でないという課題がある。
本願は、引起装置の取付構成を工夫し、引起装置の着脱を容易にすると共に、引起装置の取付及び支持強度を向上させ、刈取装置全体の剛性を向上させたものである。
【課題を解決するための手段】
【０００５】
請求項１の発明は、走行装置２の上方に脱穀装置３を設け、該脱穀装置３の横側にグレンタンク５を設け、該グレンタンク５の前側に操縦部６を設け、該操縦部６の前方に刈取装置４を設け、該刈取装置４には、複数の分草体７および引起装置８を設け、該分草体７および引起装置８の後側には刈刃１１を設け、前記分草体７と引起装置８と刈刃１１を取付ける刈取フレーム２０は、下部横伝動ケース２１の左右両側から各々上方に延出した側部伝動ケースと側部フレームとの上端部間に上部横伝動ケース２４を設けて構成し、該上部横伝動ケース２４には複数の引起装置８に駆動力を伝達する引起伝動筒２５の上部を夫々取付け、前記左右に複数並設した引起装置８のうち、非引起作用側を対向させた二つの引起装置８は、前記引起伝動筒２５の下部に設けた左右方向の上部横伝動筒３５の左右両側端部より駆動する構成とし、該上部横伝動筒３５と左右一対の縦枠３６と下部横枠３７とにより矩形の引起支持枠体３４を形成し、前記引起装置８の支持部材である引起フレーム２６を、当該引起支持枠体３４に取付けたことを特徴とするコンバインとしたものであり、分草体７により分草し、引起装置８により引起し、刈刃１１により刈り取り、脱穀する。
左右に複数並設した引起装置８のうち、非引起作用側を対向させた二つの引起装置８の引起フレーム２６は、刈取フレーム２０の引起伝動筒２５の下部に設けた、引起支持枠体３４の上部横伝動筒３５に対して着脱してメンテナンスを行う。
請求項２の発明は、前記非引起作用側を対向させた二つの引起装置８の引起フレーム２６を、連結杆４１により一体状に連結して前記引起支持枠体３４に着脱自在に取付ける構成としたことを特徴とするコンバインとしたものであり、非引起作用側を対向させた二つの引起装置８の引起フレーム２６を連結杆４１により一体状に連結し、この状態の引起装置８を引起支持枠体３４に着脱自在に取付ける。
請求項３の発明は、前記引起装置８の引起フレーム２６には、引起ラグ３０の下降側の背面を開放する開放部４４を形成し、前記縦枠３６を開放部４４から左右に偏倚した位置に配置したことを特徴とするコンバインとしたものであり、引起装置８の引起ラグ３０は引起フレーム２６の非作用側の開放部４４を下降し、引起フレーム２６の下部で反転して起立状態で上昇して、圃場の穀稈を引き起こす。
請求項４の発明は、前記縦枠３６は、装着状態における引起装置８の引起フレーム２６と、側面視において前後に所定間隔をおいて配置したことを特徴とするコンバインとしたものであり、引起装置８は、上部横伝動ケース２４から引起伝動筒２５を介して回転が伝達される。
請求項５の発明は、前記引起装置８は、引起フレーム２６に設けた駆動輪２７と下部従動輪２８と案内輪２９とに引起ラグ３０を所定間隔おいて複数起伏自在に取付けた引起チェン３１を掛け回し、前記駆動輪２７の駆動軸３２は前記横伝動筒３５の左右両側端部に各々設けた出力軸３３に軸方向に着脱自在にスプライン嵌合する構成とし、前記引起支持枠体３４の上部と引起フレーム２６の上部との間に上側着脱具６５を設け、前記引起支持枠体３４の下部と引起フレーム２６の下部との間に下側着脱具４７を設け、該下側着脱具４７によって前記下部横枠３７に引起フレーム２６を装着した状態において、当該引起フレーム２６は、下部横枠３７を中心とする前後方向の回動のみを許容する状態で下部横枠３７に支持されることを特徴とするコンバインとしたものであり、引起フレーム２６の下部の下側着脱具４７を引起支持枠体３４の下部横枠３７に係合させ、下部横枠３７の軸心を中心に引起装置８を後方回動させて引起装置８を引起支持枠体３４に取付ける。
請求項６の発明は、前記下側着脱具４７は、前記引起フレーム２６における開放部４４とは反対の側に偏倚した下部横枠３７の部位に係止する構成としたことを特徴とするコンバインとしたものであり、下側着脱具４７は、引起支持枠体３４の左右の夫々の縦枠３６に対して引起フレーム２６の開放部４４の反対側に偏倚させた下部横枠３７に係止させるので、開放部４４から後方へ放出される藁屑の下側着脱具４７への堆積を防止する。
請求項７の発明は、前記引起装置８は、引起フレーム２６に設けた駆動輪２７と下部従動輪２８と案内輪２９とに引起ラグ３０を所定間隔おいて複数起伏自在に取付けた引起チェン３１を掛け回し、前記駆動輪２７の駆動軸３２は前記横伝動筒３５の左右両側端部に各々設けた出力軸３３に軸方向に着脱自在にスプライン嵌合する構成とし、前記引起支持枠体３４の上部と引起フレーム２６の上部との間に上側着脱具６５を設け、前記引起支持枠体３４の下部と引起フレーム２６の下部との間に下側着脱具４７を設け、前記分草体７を取付けた分草杆３９には、該分草杆３９から前記引起フレーム２６の上端部背面側に亘る第一分草ガイド棒６１を設け、第一分草ガイド棒６１の下部は分草杆３９側に回動自在に取付け、第一分草ガイド棒６１の上部は前記引起支持枠体３４の上部に取付け、第一分草ガイド棒６１の上部を前方に回動させることで、該第一分草ガイド棒６１を外すことなく非引起作用側を対向させた二つの引起装置８を引起支持枠体３４に対して着脱しうる構成としたことを特徴とするコンバインとしたものであり、引起フレーム２６の下部の下側着脱具４７を引起支持枠体３４の下部横枠３７に係止させ、下部横枠３７の軸心を中心に引起装置８を後方回動させ、引起装置８の駆動輪２７の駆動軸３２を下部横枠３７の出力軸３３にスプライン嵌合させ、引起支持枠体３４の上部に引起フレーム２６の上部を上側着脱具６５により係止して、引起装置８を引起支持枠体３４に取付ける。
反対に、上側着脱具６５を外して引起支持枠体３４の上部と引起フレーム２６の上部の係止状態を解除し、下部横枠３７の軸心を中心に引起装置８を前方回動させて引起装置８の駆動輪２７の駆動軸３２を下部横枠３７の出力軸３３からスプライン嵌合を抜き、引起フレーム２６の下部の下側着脱具４７と引起支持枠体３４の下部横枠３７との係止状態を解除して、引起装置８の取り外しを行う。
請求項８の発明は、前記第一分草ガイド棒６１を、前記引起支持枠体３４の左右中央部に設けたことを特徴とするコンバインとしたものであり、非引起作用側を対向させた二つの引起装置８の間の分草体７が分草した穀稈を、第一分草ガイド棒６１が引き続き分草し、分草した穀稈を引起装置８が引き起こす。
【発明の効果】
【０００６】
請求項１の発明では、左右に複数並設した引起装置８のうちの非引起作用側を対向させた二つの引起装置８の引起フレーム２６を、矩形形状の引起支持枠体３４に取付けているので、刈取装置４全体の剛性を向上させ、刈取作業を安定して行うことができ、また、引起支持枠体３４に対して引起装置８を着脱できるので、メンテナンスを容易にできる。
請求項２の発明では、非引起作用側を対向させた二つの引起装置８の引起フレーム２６は連結杆４１により一体状に連結しているので、引起支持枠体３４への着脱を容易にでき、また、二つの引起装置８を外してメンテナンス用の空間を形成できるので、一層、メンテナンスを容易にできる。
請求項３の発明では、引起装置８の引起フレーム２６の引起ラグ３０の非作用側に開放部４４を形成しているので、引起ラグ３０の移動を円滑にでき、この開放部４４を設けた引起フレーム２６の開放部４４から左右に偏倚した位置に引起支持枠体３４の縦枠３６を配置しているので、開放部４４から引起装置８内の藁屑を円滑に排出できる。
請求項４の発明では、引起フレーム２６と縦枠３６との間に引起穀稈が挟まりにくく、刈取作業の能率を向上させることができる。
請求項５の発明では、引起装置８を下部横枠３７に支持した状態で駆動軸３２と出力軸３３とを接続または分離でき、引起装置８の着脱を容易にできる。
請求項６の発明では、引起フレーム２６の下部を下側着脱具４７により引起支持枠体３４の下部横枠３７に係止するので、引起装置８の着脱作業を容易にでき、この下側着脱具４７を縦枠３６に対して引起フレーム２６の開放部４４の反対側に偏倚させているので、下側着脱具４７への藁屑の堆積を防止でき、引起作業を円滑にできる。
請求項７の発明では、第一分草ガイド棒６１を前方回動させることで、引起装置８を着脱しうる空間を形成することができるので、引起装置８を簡単に着脱できる。
請求項８の発明では、分草体８および第一分草ガイド棒６１で分草した植立穀稈を、引起装置８に円滑に引き継ぐことができる。
【図面の簡単な説明】
【０００７】
【図１】コンバインの側面図。
【図２】刈取装置の一部を省略した概略平面図。
【図３】同一部を省略した正面図。
【図４】同一部を省略した側面図。
【図５】引起装置の背面図。
【図６】非引起作用側を対向させた引起装置の背面図。
【図７】引起装置の駆動軸の嵌合させる状態の断面図。
【図８】引起支持枠体の正面図。
【図９】引起装置の前側回動状態の側面図。
【図１０】第一分草ガイド棒の前側回動状態の側面図。
【図１１】引起装置の側面図。
【図１２】下側着脱具の開放状態側面図。
【図１３】下側着脱具の係合状態側面図。
【図１４】下側着脱具付近の背面図。
【図１５】同斜視図。
【図１６】上側着脱具付近の側面図。
【図１７】引起支持枠体の正面図。
【発明を実施するための形態】
【０００８】
本発明の実施例を図により説明すると、１は機体フレーム、２は走行装置、３は走行装置２の上方位置に設けた脱穀装置、４は刈取装置、５は脱穀装置３の側部に設けたグレンタンク、５はグレンタンク、６は操縦部である。
刈取装置４は、分草体７と、各分草体７の後方の引起装置８等を有して構成する。９は引起装置８の後方の掻込装置、１０は前側株元搬送装置、１１は刈刃、１２は穂先搬送装置、１３は後側搬送装置、１４は後側穂先搬送装置、１５は株元引継搬送装置、１６は穂先引継搬送装置、１７は脱穀装置３に穀稈を供給する穀稈供給搬送装置である。
刈取装置４は、前記分草体７や引起装置８等を取付けた刈取フレーム２０を有して構成し、刈取フレーム２０の下部横伝動ケース２１に、前後方向の縦支持フレーム２２の先端を取付け、縦支持フレーム２２の基部に設けた基部側横伝動ケース２３を、機体フレーム１の支持台に回動自在に取付け、刈取上下シリンダ図示省略により刈取装置４を上下動自在に構成している。
【０００９】
前記刈取フレーム２０は、下部横伝動ケース２１の左右側のうちの一方側に側部伝動ケース図示省略を設け、下部横伝動ケースの左右側のうちの他方側に側部フレーム図示省略を設け、側部伝動ケースと側部フレームの間に上部横伝動ケース２４を設ける。
上部横伝動ケース２４には縦軸筒形状の引起伝動筒２５の上部を取付け、引起伝動筒２５には引起装置８を吊設する。
前記引起装置８は、引起フレーム２６に設けた駆動輪２７と下部従動輪２８とテンション歯車２９とに引起ラグ３０を所定間隔おいて複数起伏自在に取付けた引起チェン３１を掛け回して構成している。前記駆動輪２７は、駆動軸３２により引起フレーム２６に軸装する。駆動軸３２は引起フレーム２６に回転のみ自在に軸装している。駆動軸３２は出力軸３３に着脱自在にスプライン嵌合させる。
【００１０】
左右に複数並設した引起装置８のうち、非引起作用側を対向させた二つの引起装置８は、その引起フレーム２６を引起伝動筒２５の下部に設けた矩形形状の引起支持枠体３４に取付ける。
引起支持枠体３４は、その上部横伝動筒３５の左右中央部分を固定状態に取付ける。上部横伝動筒３５の左右両側には前記引起支持枠体３４の左右の縦枠３６の上部を固定状態に取付ける。左右の縦枠３６の下部には下部横枠３７を固定状態に取付ける。下部横枠３７の下部は、縦杆３８により分草杆３９に取付け、分草杆３９の基部は刈刃フレーム４０に固定する。
そのため、刈取装置４の刈取フレーム２０の剛性を高め、作業負荷による刈取装置４の各部の位置ずれが起こりにくく、刈取作業を円滑にする。
【００１１】
また、引起支持枠体３４に、非引起作用側を対向させた二つの引起装置８の引起フレーム２６を着脱自在に取付ける。
そのため、メンテナンス作業を容易にする。
この場合、非引起作用側を対向させた二つの引起装置８の引起フレーム２６の上下部分を連結杆４１により連結しておくと、非引起作用側を対向させた二つの引起装置８を引起支持枠体３４に対して一度に着脱でき、着脱が容易になる。
なお、前記引起支持枠体３４は、刈取フレーム２０の剛性を向上と引起装置８の着脱容易にするために設けるものであるので、少なくとも、上部横伝動筒３５および下部横枠３７と、上部横伝動筒３５と下部横枠３７を連結する縦枠３６を有していればよく、縦枠３６は左右中央位置に一本設けた構成でもよい。
【００１２】
前記引起装置８の引起フレーム２６は、引起ラグ３０の案内レール等を引起ラグ３０の作用側に設けるために、引起フレーム２６の引起ラグ３０の作用側の側縁４３は引起ラグ３０の移動軌跡より外側に位置させるが、引起ラグ３０の非作用側は倒伏した引起ラグ３０の移動スペースを考慮して開放部４４に形成しており、前記非引起作用側を対向させた二つの引起装置８は、左右の引起フレーム２６の夫々の外側を引起ラグ３０の作用域として配置し、前記引起支持枠体３４の縦枠３６は開放部４４から偏倚した位置に配置する。
そのため、引起装置８の引起フレーム２６の開放部４４から排出される藁屑が、引起支持枠体３４の縦枠３６によって邪魔されることなく排出され、藁屑の詰まりによる引起装置８の作動不良が起こりにくくなり、刈取作業を円滑に維持できる。
【００１３】
即ち、引起支持枠体３４の縦枠３６は、正面視において引起フレーム２６と重なるようにし、引起フレーム２６の裏側に所定の間隔おいて略平行に配置する。
そのため、縦枠３６の存在が、引起装置８の引起フレーム２６の開放部４４からの藁屑の排出に影響せず、藁屑の詰まりによる引起装置８の作動不良が起こりにくくなり、刈取作業を円滑に維持できる。
前記引起支持枠体３４の縦枠３６は、前記上部横伝動ケース２４に引起装置８を吊設する引起伝動筒２５と、側面視において、軸心が平行となるようにし、引起伝動筒２５と縦枠３６とが略一直線状の姿勢となるように配置する。
そのため、引起伝動筒２５と引起支持枠体３４による刈取フレーム２０の剛性向上効果を更に向上させられる。
【００１４】
即ち、曲げ応力に対する刈取フレーム２０の剛性を向上させられる。
また、引起伝動筒２５と縦枠３６とが略一直線状の姿勢なので、応力荷重が部分的に集中するのを防止して、応力荷重を分散させ、刈取フレーム２０の剛性を向上させる。
前記引起フレーム２６の下部は、前記引起支持枠体３４の下部横枠３７に下側着脱具４７により着脱自在に取付ける。
そのため、引起装置８の着脱が容易になり、メンテナンス作用を容易にする。
前記下側着脱具４７は、前記引起支持枠体３４の左右の夫々の縦枠３６に対して前記引起フレーム２６の開放部４４の反対側に偏倚させた下部横枠３７に設ける。
【００１５】
そのため、引起フレーム２６の開放部４４から排出される藁屑が下側着脱具４７に掛かりにくく、藁屑の堆積を防いで刈取作業を円滑にする。
前記下側着脱具４７は、係合部材４８に係合する係合フック４９を、該係合フック４９の操作するレバー部５０に、レバー部５０の操作により移動するように取付けて構成する。
即ち、レバー部５０を軸５１により所定箇所に回動自在に取付け、レバー部５０の軸５１よりレバー部５０の操作端５２側の位置にＵ形状の係合フック４９の基部を取付け、レバー部５０を操作すると、係合フック４９の基部が軸５１の軸周りを移動して、係合フック４９の先端位置を移動させて、前記係合部材４８に係合離脱するように構成している。
実施例では、前記引起フレーム２６の裏面に下側着脱具４７と係合部材４８を設けている。
【００１６】
係合部材４８は、引起フレーム２６の裏面に設けた取付部５３に受部５４の基部を軸５５により回動自在に取付け、受部５４に係合部５６を設けて構成している。また、前記下部横枠３７は断面円形形状に形成し、前記受部５４は下部横枠３７に合わせて円弧形状に形成し、引起装置８を下部横枠３７の軸心を中心に前後に回動自在に構成する。
前記下側着脱具４７は、下部横枠３７により引起フレーム２６の下部を支持した状態で、この係合状態を離脱不能にロックする構成とし、前記引起フレーム２６の開放部４４を避けた位置に配置する。
そのため、引起フレーム２６の開放部４４から排出される藁屑が引起フレーム２６により下側着脱具４７に掛かりにくくし、藁屑の堆積を防いで刈取作業を円滑にする。
【００１７】
前記引起装置８は、引起フレーム２６に設けた駆動輪２７と下部従動輪２８とテンション歯車２９とに引起ラグ３０を所定間隔おいて複数起伏自在に取付けた引起チェン３１を掛け回して構成している。前記駆動輪２７は、駆動軸３２により引起フレーム２６に軸装する。駆動軸３２は引起フレーム２６に回転のみ自在に軸装している。駆動軸３２は、前記下部横枠３７に設けた出力軸３３に着脱自在にスプライン嵌合させる。
前記引起支持枠体３４の下部横枠３７の左右中間部分には縦杆３８により分草杆３９に取付ける。分草杆３９から前記引起装置８の引起フレーム２６の上端部背面側に亘る第一分草ガイド棒６１を設ける。第一分草ガイド棒６１の下部は分草体７の取付部６２に軸６３により回動自在に取付ける。
【００１８】
分草体７の取付部６２は分草杆３９に前後一対のボルト６４により取付け、後側のボルト６４を緩めるかあるいは取り外すと、分草体７は分草杆３９に対して下方回動可能に構成する。
引起支持枠体３４の上部と引起フレーム２６の上部との間に上側着脱具６５を設ける。上側着脱具６５は前記下側着脱具４７と同一構成とし、レバー部５０および係合フック４９を引起支持枠体３４側に設け、板形状で係合溝６６を有する係合部材４８を引起フレーム２６側に設ける。
そして、刈取装置４を下降させて、分草体７の取付部６２と分草杆３９との取付部分の後側のボルト６４を取り外して、分草杆３９と第一分草ガイド棒６１を一体に下方回動させる。
【００１９】
次に、第一分草ガイド棒６１と引起装置８の前面との間に空間ができるので、第一分草ガイド棒６１と引起フレーム２６上端との上側着脱具６５の係合を解除し、引起フレーム２６を下部横枠３７の軸心を中心に前側回動させ、駆動軸３２を出力軸３３から外せる。
そのため、引起装置８を引起支持枠体３４に対して第一分草ガイド棒６１を分草杆３９から外すことなく、引起装置８を前側回動させて、引起装置８と引起支持枠体３４との間に空間を形成でき、藁屑除去等の操作性および作業性を向上させられる。
更に、前記下側着脱具４７の係合フック４９を、係合部材４８から外すと、引起支持枠体３４から引起装置８全体を外せる。
６３は第一分草ガイド棒６１の上部を保持する保持具であり、通常作業時に第一分草ガイド棒６１の上部を着脱自在に係合させて保持する。
【００２０】
前記引起支持枠体３４の左右中央部に、前記第一分草ガイド棒６１を設ける。
そのため、第一分草ガイド棒６１の左右両側で中央２条の引起フレーム２６を背面対向状態で配置でき、第一分草ガイド棒６１によって分草された穀稈を、この２条の引起装置８で円滑に引き起こせる。
この場合、正面視において、第一分草ガイド棒６１と引起伝動筒２５とを近接させる。
そのため、第一分草ガイド棒６１によって分草された穀稈の穂先が円滑に流れ、刈取作業の能率が高まる。
即ち、第一分草ガイド棒６１は左右の引起装置８の中間に位置して引起伝動筒２５と重なるように近接させ、左右の引起装置８の中間に穀稈が入るのを第一分草ガイド棒６１により分草して防止する作用を期待している。
【００２１】
なお、６８は最も左側にある分草体７に設けた第二分草ガイド棒であり、未刈地側のの穀稈を分草体７に引き続き案内誘導する。７３はガイド体であり、引起穀稈を後方に案内誘導する。
前記引起支持枠体３４の下部横枠３７は、引起装置８の引起フレーム２６の下部を支持した状態において、引起フレーム２６の下部に設けた下部従動輪２８の軸心より上方に位置させる。
そのため、引起装置８の引起ラグ３０の作用域下端から下部横枠３７が上方に遠ざかるので、下部横枠３７は引起ラグ３０が引き起こしている穀稈の株元から離れ、引起穀稈の株元への下部横枠３７の干渉を抑制し、引起作業を円滑にする。
【００２２】
前記引起フレーム２６は、引起装置８の引起カバー７０の後方に設ける。
そのため、引起カバー７０の着脱に影響せず、着脱を容易にする。
前記引起フレーム２６は、引起フレーム２６の前側に装着する引起カバー７０の後方で、正面視において引起カバー７０のシルエット内に収まるように設けると、引起装置８により引き起こされる穀稈は、引起カバー７０により引起フレーム２６の外側の引起ラグ３０の作用域に誘導されるので、引起穀稈と引起フレーム２６との接触を避け、引起フレーム２６に藁屑が引っ掛かるのを防止でき、好適である。
【００２３】
また、上記した引起装置８のフレーム構成の全ての構成品を引起フレーム２６のシルエット内に収まるように設けると、一層、藁屑が引っ掛かるのを防止でき、好適である。
また、左右に複数並設した引起装置８のうち、非引起作用側を対向させた二つの引起装置８の引起ラグ３０の左右両側の作用域内に、引起カバー７０と引起フレーム２６と引起支持枠体３４とを配置すると、引起装置８の引起作用に影響を与えずに、引起装置８および引起支持枠体３４を設けることができ、引起搬送を円滑にする。
前記引起支持枠体３４の上部横伝動筒３５の左右両側にはギヤケース７２を設け、前記引起装置８の引起フレーム２６は少なくともギヤケース７２の後端より前側に位置させる。
【００２４】
そのため、引起カバー７０と引起フレーム２６とギヤケース７２の前後幅を小さくコンパクトにし、引起装置８の後方の穀稈搬送空間を広くさせられる。
また、前記引起フレーム２６は、引起フレーム２６の前側に装着する引起カバー７０の後方で、正面視で左右方向が引起フレーム２６のシルエット外になるように設けることもできる。
この構成によると、引起ラグ３０の非作用側から引起装置８に手を入れるスペースを広くでき、引起カバー７０を外したときの作業を容易にする。
【００２５】
（実施例の作用）
左右に複数並設した分草体７により分草されて引起装置８により引起された穀稈は、並行状態のまま刈刃１１により根元が切断されて搬送され、株元引継搬送装置１５と穂先引継搬送装置１６に受け渡し、その後、株元引継搬送装置１５と穂先引継搬送装置１６から脱穀装置３の穀稈供給搬送装置１７に引継ぎ、脱穀装置３で脱穀される。
刈取装置４は、分草体７と各分草体７の後方の引起装置８等を有して構成し、分草体７や引起装置８等は刈取フレーム２０に取付け、刈取フレーム２０は、左右方向の下部横伝動ケースの左右側に設けた側部伝動ケースと側部フレームの間の上部横伝動ケース２４に前記引起装置８に回転伝達する引起伝動筒２５の上部を取付け、引起伝動筒２５の下部には、左右に複数並設した引起装置８のうち、非引起作用側を対向させた二つの引起装置８の引起フレーム２６を取付けた矩形形状の引起支持枠体３４を取付けているので、非引起作用側を対向させた二つの引起装置８は矩形形状の引起支持枠体３４に支持された状態で穀稈を引き起こし、刈取装置４の刈取フレーム２０の剛性を高める。
【００２６】
そのため、作業負荷による刈取装置４の各部の位置ずれが起こりにくく、刈取作業を円滑にする。
即ち、引起支持枠体３４は、左右方向の上部横伝動筒３５の左右両側に左右一対の縦枠３６の上部を取付け、左右の縦枠３６の下部を下部横枠３７により連結して、矩形形状に形成しているので、引起支持枠体３４の四辺により荷重を支持できて、刈取フレーム２０の剛性を高められる。
引起装置８の引起フレーム２６は、引起ラグ３０の作用側の側縁４３を案内レール等を設けるために、引起ラグ３０の移動軌跡に接近させているが、引起ラグ３０の非作用側は倒伏した引起ラグ３０の移動スペースを考慮して開放部４４に形成しており、非引起作用側を対向させた二つの引起装置８は、左右の引起フレーム２６の夫々の外側を引起ラグ３０の作用域として配置し、引起支持枠体３４の縦枠３６を引起フレーム２６の開放部４４から偏倚した位置に配置しているので、引起装置８の引起フレーム２６の開放部４４から排出される藁屑が、引起支持枠体３４の縦枠３６によって邪魔されることなく排出され、藁屑の詰まりによる引起装置８の作動不良が起こりにくくなり、刈取作業を円滑に維持できる。
【００２７】
即ち、引起支持枠体３４の縦枠３６は、正面視において引起フレーム２６と重なるようにし、引起フレーム２６の裏側に所定の間隔おいて略平行に配置しているので、縦枠３６の存在が、引起装置８の引起フレーム２６の開放部４４からの藁屑の排出に影響せず、藁屑の詰まりによる引起装置８の作動不良が起こりにくくなり、刈取作業を円滑に維持できる。
引起支持枠体３４の縦枠３６は、刈取フレーム２０の上部横伝動ケース２４に引起装置８を吊設する引起伝動筒２５と、側面視において、軸心が平行となるようにし、引起伝動筒２５と縦枠３６とが略一直線状の姿勢となるように配置しているので、引起伝動筒２５と引起支持枠体３４による刈取フレーム２０の剛性向上効果を更に向上させられる。
即ち、引起伝動筒２５と縦枠３６とが略一直線状の姿勢なので、応力荷重が部分的に集中するのを防止して、応力荷重を分散させ、刈取フレーム２０の剛性を向上させる。
【００２８】
引起フレーム２６の下部は、引起支持枠体３４の下部横枠３７に下側着脱具４７により着脱自在に取付けているので、引起装置８の着脱を容易にし、メンテナンス作用を容易にする。
下側着脱具４７は、引起支持枠体３４の左右の夫々の縦枠３６に対して引起フレーム２６の開放部４４の反対側に偏倚させた下部横枠３７に設けているので、引起フレーム２６の開放部４４から排出される藁屑が下側着脱具４７に掛かりにくく、藁屑の堆積を防いで刈取作業を円滑にする。
下側着脱具４７は、下部横枠３７により引起フレーム２６の下部を支持した状態で、この係合状態を離脱不能にロックする構成とし、引起フレーム２６の開放部４４を避けた位置に配置しているので、引起フレーム２６の開放部４４から排出される藁屑が引起フレーム２６により下側着脱具４７に引っ掛かりにくくし、藁屑の堆積を防いで刈取作業を円滑にする。
【００２９】
引起装置８の駆動輪２７の駆動軸３２は下部横枠３７に設けた出力軸３３に着脱自在に嵌合させ、引起支持枠体３４の下部横枠３７の左右中間部分には縦杆３８の上部を固定し、縦杆３８の下部は分草体７を取付けた分草杆３９に固定し、分草杆３９から引起装置８の引起フレーム２６の上端部背面側に亘る第一分草ガイド棒６１を設け、第一分草ガイド棒６１の下部は分草体７の取付部６２に軸６３により回動自在に取付け、引起支持枠体３４の上部と引起フレーム２６の上部との間に上側着脱具６５を設けているので、刈取装置４を下降させて、分草体７の取付部６２と分草杆３９との取付部分の後側のボルト６４を取り外して、分草杆３９を下方回動させ、上側着脱具６５を外し、引起装置８の引起フレーム２６を下部横枠３７の軸心を中心に前側回動させ、駆動軸３２を出力軸３３から外せる。
【００３０】
そのため、引起装置８を引起支持枠体３４に対して第一分草ガイド棒６１を分草杆３９から外すことなく、引起装置８を前側回動させて、引起装置８と引起支持枠体３４との間に空間を形成でき、藁屑除去等の操作性および作業性を向上させられる。
下側着脱具４７および上側着脱具６５は、係合部材４８に係合する係合フック４９を、該係合フック４９の操作するレバー部５０に、レバー部５０の操作により移動するように取付けて構成しているので、レバー部５０を操作すると、係合フック４９の基部が軸５１の軸周りを移動して、係合フック４９の先端位置を移動させて、係合部材４８から離脱する。
反対に、係合フック４９を係合部材４８に引っ掛けてレバー部５０を引くと、係合フック４９の係合状態を保持する。
【００３１】
したがって、引起装置８の着脱は、下側着脱具４７と上側着脱具６５の操作により行えるので、頗る容易になる。
前記第一分草ガイド棒６１は引起支持枠体３４の左右中央部に設けているので、第一分草ガイド棒６１の左右両側で中央２条の引起フレーム２６を背面対向状態で配置でき、第一分草ガイド棒６１によって分草された穀稈を、この２条の引起装置８で円滑に引き起こせる。
この場合、正面視において、第一分草ガイド棒６１と引起伝動筒２５とを近接させているので、第一分草ガイド棒６１によって分草された穀稈の穂先が円滑に流れ、刈取作業の能率が高まる。
引起支持枠体３４の下部横枠３７は、引起装置８の引起フレーム２６の下部を支持した状態において、引起フレーム２６の下部に設けた下部従動輪２８の軸心より上方に位置させているので、引起装置８の引起ラグ３０の作用域下端から下部横枠３７が上方に遠ざかるので、下部横枠３７は引起ラグ３０が引き起こしている穀稈の株元から離れ、引起穀稈の株元への下部横枠３７の干渉を抑制し、引起作業を円滑にする。
【００３２】
引起フレーム２６は、引起装置８の引起カバー７０の後方に設けているので、引起カバー７０の着脱に影響せず、着脱を容易にする。
引起フレーム２６は、引起フレーム２６の前側に装着する引起カバー７０の後方で、正面視において引起カバー７０のシルエット内に収まるように設けているので、引起装置８により引き起こされる穀稈は、引起カバー７０により引起フレーム２６の外側の引起ラグ３０の作用域に誘導されるので、引起穀稈と引起フレーム２６との接触を避け、引起フレーム２６に藁屑が引っ掛かるのを防止でき、好適である。
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００３３】
１…機体フレーム、２…走行装置、３…脱穀装置、４…刈取装置、５…グレンタンク、５…グレンタンク、６…操縦部、７…分草体、８…引起装置、９…掻込装置、１０…前側株元搬送装置、１１…刈刃、１２…穂先搬送装置、１３…後側搬送装置、１４…後側穂先搬送装置、１５…株元引継搬送装置、１６…穂先引継搬送装置、１７…穀稈供給搬送装置、２０…刈取フレーム、２１…下部横伝動ケース、２２…縦支持フレーム、２３……上部横伝動ケース、２５…引起伝動筒、２６…引起フレーム、２７…駆動輪、２８…下部従動輪、３０…引起ラグ、３１…引起チェン、３２…駆動軸、３３…出力軸、３４…引起支持枠体、３５…上部横伝動筒、３６…縦枠、３７…下部横枠、３９…分草杆、４０…刈刃フレーム、４１…連結杆、４３…側縁、４４…開放部、４７…下側着脱具、４９…係合フック、４８…係合部材、５０…レバー部、５１…軸、５２…操作端、６１…第一分草ガイド棒、６２…取付部、６３…軸、６４…ボルト、６５…上側着脱具、６６…係合溝、６８…第二分草ガイド棒、７０…引起カバー、７２…ギヤケース。
【図１】
2012170437.tif 000003
【図２】
2012170437.tif 000004
【図３】
2012170437.tif 000005
【図４】
2012170437.tif 000006
【図５】
2012170437.tif 000007
【図６】
2012170437.tif 000008
【図７】
2012170437.tif 000009
【図８】
2012170437.tif 000010
【図９】
2012170437.tif 000011
【図１０】
2012170437.tif 000012
【図１１】
2012170437.tif 000013
【図１２】
2012170437.tif 000014
【図１３】
2012170437.tif 000015
【図１４】
2012170437.tif 000016
【図１５】
2012170437.tif 000017
【図１６】
2012170437.tif 000018
【図１７】
2012170437.tif 000019